(57)【要約】【課題】  表示記録媒体１の記憶手段１２に記憶される設定情報を視覚的に容易に判別し、また、容易に記憶させることができるようにする。【解決手段】  表示記録媒体１を情報管理装置２に装着すると、記憶手段１２と情報読取手段２１及び情報書込手段２７とが接続し、情報管理装置２の情報読取手段２１が記憶手段１２から設定情報を読取り、読取った設定情報を表示手段２３に表示させる。また、情報管理装置２が使用可能な設定情報を設定情報データベース２９から取得して、これら設定情報を候補として表示手段２３に表示し、オペレータが操作手段２４で候補の内から選択した設定情報を情報書込手段２７により記憶手段１２に書き込んで記憶させる。【選択図】  図４
2008084150.tif 000002
【特許請求の範囲】
【請求項１】
書込外力に応じて画像が書換可能に形成され且つ当該書込外力を除去した後も形成された画像を表示保持する表示部と、設定情報を外部から読取り可能に記憶した記憶手段と、を有する表示記録媒体と、
前記記憶手段から設定情報を読取る読取手段と、読取った設定情報を画面表示する表示手段と、を有する情報管理装置と、
を備えたことを特徴とする情報管理システム。
【請求項２】
前記記憶手段は、外部から設定情報を書込可能であり、
前記情報管理装置は、前記記憶手段に設定可能な設定情報の候補を画面表示する候補表示手段と、画面表示した候補に対するオペレータからの選択指示を受け付ける操作手段と、選択指示された候補の設定情報を該表示記録媒体の記憶手段に書き込む情報書込手段と、を更に有することを特徴とする請求項１に記載の情報管理システム。
【請求項３】
前記記憶手段は、外部から設定情報を書込可能であり、
前記情報管理装置は、前記記憶手段から読取った設定情報を保持する情報保持手段と、オペレータからの指示に応じて保持した設定情報を他の表示記録媒体の記憶手段に書き込む情報書込手段と、を更に有することを特徴とする請求項１に記載の情報管理システム。
【請求項４】
前記情報管理装置は、前記読取った設定情報に応じて前記表示部に書込む画像を生成する画像生成手段と、前記設定情報を読取った表示記録媒体に書込外力を及ぼして当該生成された画像を書込む画像書込手段と、を更に有することを特徴とする請求項１乃至３のいずれか１項に記載の情報管理システム。
【請求項５】
前記情報管理装置は、前記生成した画像を画面表示する画像表示手段を、更に有することを特徴とする請求項４に記載の情報管理システム。
【請求項６】
前記設定情報は、表示記録媒体の利用者を特定する利用者情報であることを特徴とする請求項１乃至５のいずれか１項に記載の情報管理システム。
【請求項７】
前記設定情報は、表示記録媒体を特定する媒体情報であることを特徴とする請求項１乃至５のいずれか１項に記載の情報管理システム。
【請求項８】
前記設定情報は、表示記録媒体に書込み可能なコンテンツを特定するコンテンツ情報であることを特徴とする請求項１乃至５のいずれか１項に記載の情報管理システム。
【請求項９】
前記設定情報は、表示記録媒体に書込む画像の表出形式を指定するための形式情報であることを特徴とする請求項１乃至５のいずれか１項に記載の情報管理システム。
【請求項１０】
書込外力に応じて画像が書換可能に形成され且つ当該書込外力を除去した後も形成された画像を表示保持する表示記録媒体に設けられた記憶手段から設定情報を読取る読取手段と、
前記読取った設定情報を画面表示する表示手段と、
前記記憶手段に書込む設定情報の候補を画面表示する候補表示手段と、
前記画面表示した候補に対するオペレータからの選択指示を受け付ける操作手段と、
前記選択指示された候補の設定情報を前記記憶手段に書き込む情報書込み手段と、
を有することを特徴とする情報管理装置。
【請求項１１】
コンピュータを、
書込外力に応じて画像が書換可能に形成され且つ当該書込外力を除去した後も形成された画像を表示保持する表示記録媒体に設けられた記憶手段から設定情報を読取る読取手段と、
前記読取った設定情報を画面表示する表示手段と、
前記記憶手段に書込む設定情報の候補を画面表示する候補表示手段と、
前記画面表示した候補に対するオペレータからの選択指示を受け付ける操作手段と、
前記選択指示された候補の設定情報を前記記憶手段に書き込む情報書込手段と、
して機能させるためのコンピュータプログラム。
【発明の詳細な説明】
【技術分野】
【０００１】
本発明は、書込外力に応じて画像が書換可能に形成され且つ当該書込外力を除去した後も形成された画像を表示保持する表示記録媒体に、設定情報に基づく管理を実現する技術に関する。
【背景技術】
【０００２】
印刷物は一般に外部からのインクやトナー等の着色材料や現像材料を紙を代表とする媒体上に供給することで固定的な画像表示を行わせるものであるが、このような固定的に画像を表示保持する媒体に代替可能な媒体として、書込外力に応じて画像が書換可能に形成され且つ当該書込外力を除去した後も形成された画像を表示保持する表示記録媒体が研究開発されている。
その一例として、媒体に対して電子的な変化を与える書込外力により、画像が書換可能に形成され且つ当該書込外力を除去した後も形成された画像を表示保持する表示記録媒体として、電子ペーパー等と称せられる表示記録媒体が知られている。
【０００３】
このような表示記録媒体は、画像を表示保持する領域としての表示部の内部に画像を構成する表示材料を含有し、この表示材料に書込外力（電気、磁気、熱、所定ＰＨの液体といった化学的作用等）を作用させることで、表示材料が物理的或いは化学的に状態が変化して書込外力に応じた画像が形成され、また、この書込外力を除去した後でも形成された画像が維持され、さらに、異なる書込外力を作用させると先の画像が新たな書込外力に応じた画像へと変化するものである。このように書込外力を無くした状態での表示状態の維持（記憶）が紙のようである点に加えて、着色材料や現像剤を外部から供給することなく表示画像を書き換えられる点が電子デバイス的であることから、電子ペーパーと称せられることが多い。
【０００４】
なお、電子ペーパーと称せられる表示記録媒体は、通常、表示部と一体化された記憶手段を有しており、媒体の識別コード等といった設定情報を記憶手段に外部から読取り可能に保持し、設定情報を画像の書込制御等に用いることができるようになっている。
また、このような表示記録媒体は、繰り返し書き込み使用が可能な紙のような表示媒体としての利用を想定しているため、通常、媒体単独での表示書換機能を備えず、書換対象となる表示記録媒体の交換が可能な書込装置に表示記録媒体をセットすることにより、画像の書き込みが行われ、そして、画像が書き込まれた表示記録媒体は書込装置から外されて書込形成した画像の閲覧に用いられる。
【０００５】
ところで、コンピュータからプリンタを通じて紙媒体に画像を印刷する場合、その表示形式は、画像の書き込み時に予め設定された出力サイズをユーザが所望のサイズに変更して設定したり、画像の原稿サイズと紙媒体サイズに応じて自動的に拡縮するものがあった。
また、紙媒体とは異なり常時電気的に画像表示が更新される液晶パネル等の画像表示装置上でドットマトリクス表示を行う場合には、画像のドットと表示装置の画素を一対一に対応させて、はみ出し部分をスクロールにより表示させたり、表示画像のサイズの拡縮により表示させる手法があった。
【０００６】
何度でも書き換え可能な記録媒体に記録された画像を、必要に応じてデジタル情報として入手し、例えば再加工や再利用を容易に行うことができる情報書き込みシステムが提案されている（特許文献１参照。）。
この情報書き込みシステムでは、媒体書き込み装置は、記録媒体に書き込むべき画像情報を取得して、その情報を適宜書き込み可能な形式に変換して記録媒体に書き込む。また 、ＩＤ取得部は、その記録媒体から、あるいはユーザの入力によって媒体ＩＤを取得する。媒体ＩＤと書き込んだ画像情報の所在を示す情報がサーバに送られ 、両者を対応づけたインデックス情報として保存される。後で記録媒体に書き込んだ画像情報を再利用する際は、媒体ＩＤを特定してサーバからインデックス情報を取得すれば、元の画像情報を取得することができ、再利用、再加工を容易に行うことができる。
【０００７】
また、可搬性表示記録媒体へのコンテンツの表示処理、可搬性表示記録媒体のユーザ間での受け渡し等といったコンテンツの利用に係るユーザの行動を管理し、更には解析することを可能ならしめるシステムが提案されている（特許文献２参照）。
このシステムでは、ユーザが可搬性表示記録媒体によりコンテンツ提供装置から表示用コンテンツを取得すると、ユーザＩＤ、可搬性表示記録媒体のデバイスＩＤ、コンテンツＩＤと取得の時刻情報を管理装置に通知し、管理装置のログＤＢに記録する。可搬性表示記録媒体による表示コンテンツの切り替え等についても、同様に通知してログＤＢに記録する。そして、検索装置でログＤＢを検索し、例えば、ユーザＩＤをキーとすることにより、或るユーザがどの可搬性表示記録媒体を所有してきたかという変遷やどのコンテンツを利用してきたかという変遷を把握することができる。
【０００８】
また、安価な構成で表示内容の変更にも柔軟に対応でき、表示内容のリアルタイムな把握が可能な表示情報管理システムが提案されている（特許文献３参照。）。
この表示情報管理システムは、表示記録媒体、情報読取書込装置、無線通信部及びストレージが接続され、かつ情報読取書込装置と無線通信部を介して情報の授受が可能なホストコンピュータを含んで構成されている。表示記録媒体には媒体識別コード、表示情報識別コード、及び表示情報が記録されている。コード情報読取部は媒体識別コードを読み取ってホストコンピュータへ送信する。書き換え要求がある場合、情報書込部はホストコンピュータから送信された表示情報識別コード及び表示情報を表示記録媒体へ書き込む。
【特許文献１】特開２００４−１３９５４８号公報
【特許文献２】特開２００５―２６７１４７号公報
【特許文献３】特開２００２―２０３２１３号公報
【発明の開示】
【発明が解決しようとする課題】
【０００９】
上記のような表示記録媒体には記憶手段が設けられ、媒体を特定する識別情報や、表示保持しているコンテンツを特定する識別情報等の設定情報が記憶手段に記憶されて、例えば、表示記憶媒体やコンテンツ等の管理に用いられている。
ここで、管理方法等に応じて多様な設定情報を表示記録媒体の記憶手段に書込まれるが、記憶手段に記憶される設定情報は視覚的にその内容を判別し得るものではないので、表示記録媒体に書込まれている設定情報の内容或いは書込む設定情報の内容を管理者等のオペレータが容易に把握することができないという課題があった。
【００１０】
本発明は、上記従来の事情に鑑みなされたものであり、表示記録媒体の記憶手段に記憶される設定情報を視覚的に容易に判別し得るようにすることを目的としている。
【課題を解決するための手段】
【００１１】
請求項１の情報管理システムは、書込外力に応じて画像が書換可能に形成され且つ当該書込外力を除去した後も形成された画像を表示保持する表示部と、設定情報を外部から読取り可能に記憶した記憶手段と、を有する表示記録媒体と、前記表示記録媒体との前記設定情報の読取のための信号接続が、コネクタを介した接続、接触あるいは近傍への配置により可換容易に構成され、前記記憶手段から設定情報を読取る読取手段と、読取った設定情報を画面表示する表示手段と、を有する情報管理装置と、を備えたことを特徴とする。
【００１２】
請求項２の情報管理システムは、請求項１の情報管理システムにおいて、前記記憶手段は、外部から設定情報を書込可能であり、前記情報管理装置は、前記表示記録媒体の記憶手段から前記読取手段により読み取られた設定情報に基づいて、該表示記録媒体の前記記憶手段に設定可能な設定情報の候補を画面表示する候補表示手段と、画面表示した候補に対するオペレータからの選択指示を受け付ける操作手段と、選択指示された候補の設定情報を該表示記録媒体の記憶手段に書き込む情報書込手段と、を更に有することを特徴とする。
【００１３】
請求項３の情報管理システムは、請求項１の情報管理システムにおいて、前記記憶手段は、外部から設定情報を書込可能であり、前記情報管理装置は、前記記憶手段から読取った設定情報を保持する情報保持手段と、オペレータからの指示に応じて保持した設定情報を他の表示記録媒体の記憶手段に書き込む情報書込手段と、を更に有することを特徴とする。
【００１４】
請求項４の情報管理システムは、請求項１乃至３のいずれか１項の情報管理システムにおいて、前記情報管理装置は、前記読取った設定情報に応じて前記表示部に書込む画像を生成する画像生成手段と、前記設定情報を読取った表示記録媒体に書込外力を及ぼして当該生成された画像を書込む画像書込手段と、を更に有することを特徴とする。
【００１５】
請求項５の情報管理システムは、請求項４の情報管理システムにおいて、前記情報管理装置は、前記生成した画像を画面表示する画像表示手段を、更に有することを特徴とする。
【００１６】
請求項６の情報管理システムは、請求項１乃至５のいずれか１項の情報管理システムにおいて、前記設定情報は、表示記録媒体の利用者を特定する利用者情報であることを特徴とする。
【００１７】
請求項７の情報管理システムは、請求項１乃至５のいずれか１項の情報管理システムにおいて、前記設定情報は、表示記録媒体を特定する媒体情報であることを特徴とする。
【００１８】
請求項８の情報管理システムは、請求項１乃至５のいずれか１項の情報管理システムにおいて、前記設定情報は、表示記録媒体に書込み可能なコンテンツを特定するコンテンツ情報であることを特徴とする。
【００１９】
請求項９の情報管理システムは、請求項１乃至５のいずれか１項の情報管理システムにおいて、前記設定情報は、表示記録媒体に書込む画像の表出形式を指定する形式情報であることを特徴とする。
【００２０】
請求項１０の情報管理装置は、書込外力に応じて画像が書換可能に形成され且つ当該書込外力を除去した後も形成された画像を表示保持する表示記録媒体に設けられた記憶手段から設定情報を読取る読取手段と、前記読取った設定情報を画面表示する表示手段と、前記記憶手段に書込む設定情報の候補を画面表示する候補表示手段と、前記画面表示した候補に対するオペレータからの選択指示を受け付ける操作手段と、前記選択指示された候補の設定情報を前記記憶手段に書き込む情報書込み手段と、を有することを特徴とする。
【００２１】
請求項１１のコンピュータプログラムは、コンピュータを、書込外力に応じて画像が書換可能に形成され且つ当該書込外力を除去した後も形成された画像を表示保持する表示記録媒体に設けられた記憶手段から設定情報を読取る読取手段と、前記読取った設定情報を画面表示する表示手段と、前記記憶手段に書込む設定情報の候補を画面表示する候補表示手段と、前記画面表示した候補に対するオペレータからの選択指示を受け付ける操作手段と、前記選択指示された候補の設定情報を前記記憶手段に書き込む情報書込手段と、して機能させる。
【発明の効果】
【００２２】
請求項１の情報管理システムによると、表示記録媒体の記憶手段に記憶される設定情報を画面表示するため、多様な設定が為され得る表示記録媒体の当該記憶手段に記憶される設定情報を視覚的に容易に判別することができる。
【００２３】
請求項２の情報管理システムによると、さらに、前記読取手段により読み取られた設定情報に基づいて、記憶手段に設定可能な設定情報の候補を画面表示するため、視覚的に判別して選択した設定情報を表示記録媒体の記憶手段に書き込むことができる。
【００２４】
請求項３の情報管理システムによると、さらに、記憶手段から読取った設定情報を保持するようにしたため、表示記録媒体に書込まれている設定情報を他の表示記憶媒体に移行（コピー）して書き込むことができる。
【００２５】
請求項４の情報管理システムによると、さらに、表示記録媒体から読取った設定情報に応じて書込み画像を生成して当該表示記録媒体に書込むようにしたため、表示記録媒体にその設定情報に応じた画像を書込んで保持させることができる。
【００２６】
請求項５の情報管理システムによると、さらに、設定情報に応じて生成した書込み画像を画面表示するようにしたため、表示記録媒体への書込みに際してその書込み画像を視覚的に確認することができる。
【００２７】
請求項６の情報管理システムによると、さらに、設定情報が表示記録媒体の利用者を特定する利用者情報であるため、例えば、利用者に対して設定された形式で書込み画像を生成して表示記録媒体に書き込み表示させるといった利用者に応じた管理を行うことができる。
【００２８】
請求項７の情報管理システムによると、さらに、設定情報が表示記録媒体を特定する媒体情報であるため、例えば、表示記録媒体に対して設定されたコンテンツの種類内で書込み画像を生成して表示記録媒体に書き込み表示させるといった表示記録媒体に応じた管理を行うことができる。
【００２９】
請求項８の情報管理システムによると、さらに、設定情報が表示記録媒体に書込み可能なコンテンツを特定するコンテンツ情報であるため、例えば、表示記録媒体に対して設定されたコンテンツの内で書込み画像を生成して表示記録媒体に書き込み表示させるといったコンテンツ及び表示記録媒体に応じた管理を行うことができる。
【００３０】
請求項９の情報管理システムによると、さらに、設定情報が表示記録媒体に書込む画像の表出形式を指定する形式情報であるため、表示記録媒体に対して設定された表出形式で書込み画像を生成して表示記録媒体に書き込み表示させるといった表示記録媒体に応じた管理を行うことができる。
【００３１】
請求項１０の情報管理装置によると、表示記録媒体の記憶手段に記憶される設定情報を画面表示するため、多様な設定が為され得る表示記録媒体の当該記憶手段に記憶される設定情報を簡単な操作かつ視覚的に容易に判別することができ、しかも、記憶手段に書込む設定情報の候補を画面表示するため、視覚的に判別して選択した設定情報を表示記録媒体の記憶手段に書き込むことができる。
【００３２】
請求項１１のコンピュータプログラムによると、表示記録媒体の記憶手段に記憶される設定情報を画面表示して多様な設定が為され得る表示記録媒体の当該記憶手段に記憶される設定情報を簡単な操作かつ視覚的に容易に判別させることができる情報管理装置を、コンピュータにより実現することができる。
【発明を実施するための最良の形態】
【００３３】
本発明を実施例に基づいて具体的に説明する。
図１には、本例に係る情報管理システムの構成を示してある。
情報管理システムは、書込外力に応じて画像が書換可能に形成され且つ書込外力を除去した後も形成された画像を表示保持する表示記録媒体１と、表示記録媒体１に記憶される設定情報の管理及び表示記録媒体１に書込外力を与えて表示記録媒体１への画像の書込みを行う情報管理装置２とを備えて構成される。
【００３４】
表示記録媒体１は、書込まれた画像を表示保持する表示部１１と、種々な管理に用いることが可能な設定情報を外部から読取り可能且つ書込み可能に記憶する記憶手段１２とを有している。
表示記録媒体１は紙の様に薄型で柔軟性を有する装置であり、電子ペーパーとも呼ばれ、表示部１１としては画像の書込方法に応じた種々な態様を採用することができる。電気、磁気、熱といった外力を直接印加して素子ほ駆動するもの、あるいは光照射に伴う電圧変化により素子を駆動するものや、電圧印加に伴う液体のＰＨ変化により呈色状態を変化させる等、連鎖的に素子を駆動する表示原理を用いるものであってもよい。また全面書き換え方式や、記録ヘッドの移動によるライン書き換え方式、単純マトリクス駆動やアクティブマトリクス駆動による電気的な走査書き換え方式であってもよい。
【００３５】
例えば、電気的に画像を書込む方法の表示部１１は、微細な着色帯電粒子を少なくとも表面側が透明な表裏一対のマトリックス電極間に封入し、これを少なくとも表面側が透明な表裏一対のフィルム基板で挟んだ構造として、黒色の着色粒子と白色の着色粒子とが電極が正又は負に印加されることで表示媒体の表面側と裏面側との相反する面に留まるような構成としている。
したがって、電極に電圧を印加していない状態（無電源状態）では、負に帯電した白色粒子は裏面側に溜まる一方、正に帯電した黒色粒子は表面側に溜まり、表示部１１を表面側から目視すると黒色な状態となる。そして、電子データに基づいて表示する画像に応じたマトリックスの所要部の電極極性を反転させると、白色粒子と黒色粒子との位置関係が入れ替わって、白色粒子と黒色粒子とのコントラストによる画像が表示される。なお、異なる電子データに基づいてマトリックス電極を動作させることにより、白色粒子と黒色粒子とのコントラストにより表示される画像を切り換えることができ、幾度も再使用することができる。
【００３６】
また、例えば、光により画像を書込む方法の表示部１１は、複写機に利用されている有機光導電性材料の層（有機光導電層）と液晶表示材料の層（マイクロカプセル化したコレステリック液晶層）とを組み合わせ、これら層を表裏一対の透明電極で挟み、この積層体を表裏一対の透明な基材フィルムで挟んだ構造とし、画像書込み用の調光素子パネル（発光パネル）に転写する画像を表示して表示部１１に投影し、電極に電圧を印加すると、光の強弱を瞬時に反射濃度に変換して当該投影画像を電圧を除去した後でも保持するようにする。そして、電極に消去電圧を印加することにより表示保持された画像を消去することができ、書き込みと消去を繰り返して幾度も再使用することができる。
【００３７】
記憶手段１１は、設定情報の読取り又は書込み方法に応じた種々な態様を採用することができる。
例えば、記憶手段１１は、設定情報を電子データで記憶するメモリと、外部からの無線或いは有線接続によるアクセスに応じてメモリに記憶する電子データを送信又は受信する通信機能とを有した構成とすることができる。
【００３８】
記憶手段１１に記憶される設定情報として、例えば、表示記録媒体１の利用者を特定する利用者情報、表示記録媒体１を特定する媒体情報、表示記録媒体１に書込み可能なコンテンツを特定するコンテンツ情報、表示記録媒体１に書込む画像の表出形式を指定する形式情報、表示記録媒体１が使用できる情報管理装置を特定するデバイス情報といったシステム管理等に利用することができる種々な情報が用いられる。利用者情報としては本システムの利用に関わるもののいずれかを設定することができ、例えば、表示記録媒体１の所有権を有する者あるいは形態する者の情報、表示記録媒体１で画像を閲覧する閲覧者の情報等をそれぞれあるいは組み合わせて設定することができる。
【００３９】
なお、記憶手段１１に記憶される書き込み画像の表出形式を指定するための形式情報は、表示記録媒体１の表示部１１による表示能力に応じた形式を表す情報や、利用者により予め設定された表示形式を表す情報である。言い換えれば、画像を構成する元データを表示記録媒体１の表示部１１に表出させるときの画像の外観を決定するために用いられる情報であり、電子ファイルのデータ内部構造を特定するために使われるファイル形式とは異なるものである。
【００４０】
この表出形式を指定するための形式情報としては、例えば、表示部１１のサイズ、表示部１１の解像度、表示部１１のカラー表示可能か否か等といった表示記録媒体１自体の画像表示能力に係る情報や、画像の表示倍率の指定、複数ページの画像を１枚にまとめて書き込み表示する指定、カラー画像をモノクロ画像として表示する指定等といった利用者が画像の表示形式について任意に指定できる表示画像の加工条件に係る情報を採用できる。
【００４１】
電子ペーパーは、同一形状で多数枚同時にそれぞれが分離独立して利用されることが想定され、使用感を向上させるためにもその装置としての外観は他とは類似して製造される場合が多く、例えばＡ４サイズの白い紙状の媒体として形成される。一方で電子ペーパ毎に、解像度や発色数が異なっていたり、同じ解像度と発色数であっても、多様性のある効果的な表示を行わせるために表出形式を異ならせるように設定することが可能である。したがって、電子ペーパーの利用が進むほど、どの媒体がどのような形式で情報を表出するかを予想することが困難となる。したがって、この場合にこの表出形式を指定するための形式情報を読み取り表示させ、さらに変更できるようにする管理システムの有用性が高まる。
【００４２】
表示記録媒体１は設定情報を記憶手段１２に記憶させて使用され、記憶手段１２に記憶させる設定情報は上記の利用者情報、媒体情報、コンテンツ情報、形式情報等のいずれか１つ、または、これら複数の情報の組合せでよい。
【００４３】
情報管理装置２は、表示記録媒体１の記憶手段１２から設定情報を読取る読取手段２１、読取手段２１が読取った設定情報を一時的に保持する情報保持手段２２、情報管理装置を操作するオペレータに対する種々な情報を画面表示する表示手段２３、種々な操作入力をオペレータから受け付ける操作手段２４、表示記録媒体１に書込む画像に係る処理や設定情報に係る処理等を行う書込制御手段２５、書込制御手段２５で生成されたコンテンツ画像を表示記録媒体１に書込外力を及ぼしてその表示部１１に書込む画像書込手段２６、書込制御手段２５で特定された設定情報を表示記録媒体１に送信してその記憶手段１２に書込む情報書込手段２７、を備えている。
【００４４】
ここに、書込制御手段２５は、前記読取った設定情報に応じて表示部１１に書込むコンテンツ画像を生成する画像生成手段２５ａ、この生成した画像を表示手段２３により画面表示する画像表示手段２５ｂ、オペレータによる選択指示を受けるために記憶手段１２に書込む設定情報の候補を表示手段２３により画面表示する候補表示手段２５ｃを構成している。
なお、図１に示す例の情報管理置２は、書込画像となるコンテンツデータを記憶したコンテンツデータベース２８、設定情報に対応付けてその内容（設定条件）を記憶した設定情報データベース２９を備えているが、これらデータベース２８、２９は情報管理装置２の外部に設けて、書込制御手段２５が必要に応じてネットワークアクセス等で各データベースから必要な情報を取得するようにしてもよい。
【００４５】
読取手段２１は記憶手段１２に記憶されている設定情報を読み取り、書込制御手段２２に入力する。このとき、複数の表示記録媒体を簡単に交換し、それぞれの設定情報を容易に読み取ることができるように、読取手段と結線された電気コネクタを介した接続、接触あるいは近傍へ配置し無線接続とすることで可換容易に構成される。
具体的には、読取手段２１は記憶手段１２の態様に応じて種々なものを採用することができ、例えば、記憶手段１２をＩＤタグのような無線アクセス可能な装置とした場合には、読取手段２１は所定の近接範囲にアクセス電波を送信して当該範囲内の記憶手段１２を励起してその記憶された設定情報を非接触で読み取る或いは設定情報を送信して記憶手段１２に記憶させる無線アクセス装置とすることができ、或いは、記憶手段１２をアクセス端子を有したメモリ装置とした場合には、読取手段２１は当該アクセス端子に接続して設定情報を記憶手段１２との間で読み書きする端子を有した装置とすることができる。
【００４６】
書込制御手段２２は、表示記録媒体の記憶手段１２から読取った設定情報の内容を表示手段２３により画面表示する処理、オペレータによる操作手段２４からの指示に応じて、表示記録媒体１から読取った設定情報を情報保持手段２２に一時的に保持させ、情報管理装置２に装着された他の表示記録媒体の記憶手段１２に当該一時的に保持した設定情報を情報書込手段２７２より書き込ませる処理を行う。
【００４７】
さらに、書込制御手段２２は、読取った設定情報又は操作手段２４からのオペレータ指示に応じて、設定情報を読取った表示記録媒体１に書込むコンテンツ画像データをコンテンツデータベース２８から取得して、当該コンテンツの画像を指定された形式に生成する処理（画像生成手段２５ａ）、生成したコンテンツ画像を表示記録媒体１に書き込むに先立って表示手段２３で画面表示する処理（画像表示手段２５ｂ）、読取った設定情報又は操作手段２４からのオペレータ指示に応じて、表示記録媒体の記憶手段１２に書き込むことが可能な設定情報を設定情報データベース２９から取得して、これら設定情報を書き込み対象となる設定情報の候補として操作手段２４からの選択指示に供するために表示手段２３で画面表示する処理（候補表示手段２５ｃ）を行う。
【００４８】
画像書込手段２６は、書込制御手段２５で生成された画像を情報管理装置２に装着されている表示記録媒体１の表示部１１に書込外力を与えて書込む。
画像書込手段２６は、表示部１１の態様に応じて種々なものを採用することができ、例えば、表示部１１を投影された画像を表示保持する光により画像を書込む態様のものとした場合には、画像書込手段２６は書込電圧の印加及び画像の投影という書込外力を与える装置として、表示部１１に書込電圧を与えて画像を投影することで表示部１１に画像を書込むようにすることができ、或いは、表示部１１を着色帯電粒子が封入されたマトリックス電極間に画像データに応じて電圧を印加することで画像を電気的に書込む態様のものとした場合には、画像書込手段２６はマトリックス電極を駆動するために表示部１１に設けられたドライバに画像データという書込外力を与える装置として、書込画像のデータに応じて表示部１１に画像を書込むようにすることができる。
【００４９】
なお、情報管理装置２の少なくとも、表示記録媒体の記憶手段１２から設定情報を読取る読取手段２１、読取った設定情報を画面表示する書込制御手段２５及び表示手段２３、記憶手段１２に書込む設定情報の候補を画面表示する書込制御手段２５及び表示手段２３、画面表示した候補に対するオペレータからの選択指示を受け付ける書込制御手段２５及び操作手段２４、選択指示された候補の設定情報を記憶手段１２に書き込む書込制御手段２５及び情報書込手段２７は、コンピュータで本発明に係るプログラムを実行することで構成することができ、情報管理装置２をコンピュータのハードウエアを利用して構成することができる。
【００５０】
設定情報データベース２９には、例えば図２に示すように、設定情報としての利用者情報（利用者ＩＤ）、デバイス情報（デバイスＩＤ）、媒体情報（媒体ＩＤ）、コンテンツ情報（コンテンツＩＤ）、形式情報（フォームＩＤ）に対応付けて、コンテンツデータベース２８に格納されているコンテンツの内のどのコンテンツの画像を書き込むことができるか、コンテンツ画像をどのような形式の画像（例えば、画像の大きさ、フォント、カラー、複数枚の画像ページを一枚のページに纏めた画像とする）に生成するかといった設定条件が記憶されている。
また、各設定情報について、表示記録媒体の記憶手段１２への書込が可能か否かを示す使用可否の状況も記録されており、例えば、或る媒体ＩＤが既に或る表示記録媒体１に書き込まれている場合には、同じ媒体ＩＤが他の表示記録媒体に重複して書き込まれないように使用不可が記録される。
【００５１】
図３〜図４には、本発明の情報管理システムに係る具体的な一例を示してある。
図３及び図４に示す情報管理装置２は、電気的に画像を書込む表示記録媒体１を交換可能に装着するバインダ形式の装置であり、外部に設けた設定情報データベース２９から設定情報に係る情報を無線通信により取得する機能を有している。
【００５２】
また、この情報管理装置２は、表示記録媒体１を装着するバインダの一面に情報読取手段２１及び情報書込手段２７と画像書込手段２６が設けられており、バインダの他面にオペレータに必要な情報を画面表示するタッチパネル式の表示手段２３が設けられ、ペンを画面２３に接触させることで操作入力を受け付ける方式の操作手段２４が備えられている。
【００５３】
図３に示す情報管理システムでは、表示記録媒体１を情報管理装置２に装着すると、記憶手段１２と情報読取手段２１及び情報書込手段２７とが接続し、情報管理装置２にオペレータが設定情報表示の操作を入力すると、情報読取手段２１が記憶手段１２から設定情報を読取り、書込制御手段２５が、読取った設定情報を表示手段２３に表示させる。
図３に示す例では、装着された表示記録媒体１の記憶手段１２から利用者情報（ＩＤ-Ｕ＝Ｕ２）、デバイス情報（ＩＤ-Ｍ＝Ｍ１）、媒体情報（ＩＤ-Ｐ＝Ｐ４）、コンテンツ情報（ＩＤ-Ｃ＝Ｃ３）、形式情報（ＩＤ-Ｆ＝Ｆ２）が読取られ、情報管理装置２の表示手段２３に一覧表示される。
【００５４】
なお、情報管理装置２にオペレータが設定情報承継の操作を入力すると、書込制御手段２５が、装着した表示記録媒体１の記憶手段１２から読取った設定情報を情報保持手段２２に一時保持し、この表示記録媒体１を取外して他の表示記録媒体１を情報管理装置２に同様に装着すると、当該他の表示記録媒体の記憶手段１２に一時保持した設定情報を情報書込手段２７により書き込んで記憶させる。
【００５５】
図４に示す情報管理システムでは、表示記録媒体１を情報管理装置２に装着して記憶手段１と情報読取手段２１及び情報書込手段２７とを接続し、情報管理装置２にオペレータが設定情報書き込み開始の操作を入力すると、書込制御手段２５が、使用可能な設定情報を設定情報データベース２９から取得して、これら設定情報を候補として表示手段２３に表示する。
そして、オペレータが操作手段２４により画面表示された候補の内から所望の設定情報を選択指示すると、書込制御手段２５が、当該選択された設定情報を情報書込手段２７により記憶手段１２に書き込んで記憶させる。
【００５６】
図４に示す例では、装着する表示記録媒体１の記憶手段１２に書込可能な設定情報（候補）として、利用者情報（ＩＤ-Ｕ＝Ｕ１〜Ｕ５）、デバイス情報（ＩＤ-Ｍ＝Ｍ１〜Ｍ５）、媒体情報（ＩＤ-Ｐ＝Ｐ１〜Ｐ５）、コンテンツ情報（ＩＤ-Ｃ＝Ｃ１〜Ｃ５）、形式情報（ＩＤ-Ｆ＝Ｆ１〜Ｆ５）が表示手段２３に画面表示され、これら候補の内からオペレータが操作手段２４で選択した利用者情報（ＩＤ-Ｕ＝Ｕ１）、デバイス情報（ＩＤ-Ｍ＝Ｍ３）、媒体情報（ＩＤ-Ｐ＝Ｐ２）、コンテンツ情報（ＩＤ-Ｃ＝Ｃ４）、形式情報（ＩＤ-Ｆ＝Ｆ５）が当該表示記録媒体の記憶手段１２に書き込まれる。
【００５７】
図５に示す情報管理装置２は、上記と同様な装置であり、外部に設けたコンテンツデータベース２８から書き込み対象のコンテンツ画像データを無線通信により取得する機能を有している。
【００５８】
図５に示す情報管理システムでは、表示記録媒体１を情報管理装置２に装着すると、上記のようにして読取った設定情報に応じて、または、オペレータが操作手段２４で入力した指示に応じて、書込制御手段２５が、必要なコンテンツ画像データをコンテンツデータベース２８から取得して、当該コンテンツの画像を所定の形式に生成し、この生成された画像を表示手段２３に画面表示する。
そして、オペレータが操作手段２４で書込指示を入力したことに応じて、書込制御手段２５が、画像書込手段２６により生成された画像データで表示部１１を駆動させて、生成された画像を表示部１１に表示保持させる。
【００５９】
図５に示す例では、表示記録媒体の表示部には、表示記録媒体１ａとして示すように、通常ではコンテンツの１ページ分の画像（Ａ）がフルサイズで表示されるが、読取った設定情報（形式情報）に応じて、表示記録媒体１ｂとして示すように、コンテンツ画像を縮小して２ページ分の画像（Ａ）（Ｂ）を１つの表示記録媒体に纏めて書き込み表示している。
なお、この書込処理に際して、書込制御手段２５が、生成した画像を表示手段２３に画面表示している。
【図面の簡単な説明】
【００６０】
【図１】本発明の一例に係る情報管理システムの構成図である。
【図２】本発明の一例に係る設定情報を説明する図である。
【図３】本発明の一例に係る情報管理システムを説明する図である。
【図４】本発明の一例に係る情報管理システムを説明する図である。
【図５】本発明の一例に係る情報管理システムを説明する図である。
【符号の説明】
【００６１】
１：表示記録媒体、  ２：情報管理装置、
１１：表示部、  １２：記憶手段、
２１：読取手段、  ２２：情報保持手段、
２３：表示手段、  ２４：操作手段、
２５：書込制御手段、  ２５ａ：画像生成手段、
２５ｂ：画像表示手段、  ２５ｃ：候補表示手段、
２６：画像書込手段、  ２７：情報書込手段、
【図１】
2008084150.tif 000003
【図２】
2008084150.tif 000004
【図３】
2008084150.tif 000005
【図４】
2008084150.tif 000006
【図５】
2008084150.tif 000007